(57)【要約】【課題】履物内部を清潔且つ衛生的な状態に保つことができ、履物内部に挿入するか、履物内部から抜き取る作業が簡単且つ容易に行える履物用銅コーティング板の提供を目的とする。【解決手段】履物用銅コーティング板１を、ブーツ型を有する履物Ａ内部に対して挿入が許容される角度に折り曲げながら挿入して、履物用銅コーティング板１を履物Ａ内部の底部Ａａ上に敷設する。履物用銅コーティング板１の金属板本体２にコーティングした銅被膜３の抗菌作用、殺菌作用、消臭作用により、履物Ａ内部に発生した雑菌の増殖を抑え、水虫や悪臭等の原因となる菌を殺菌して、履物Ａ内部の不快な臭いを消臭するので、履物Ａ内部を清潔且つ衛生的な状態に保つことができる。【選択図】図７
0003141946.tif 000002
【実用新案登録請求の範囲】
【請求項１】
履物内部の底部と対応する足形状に形成され、該履物内部に対して挿入が許容される大きさ及び形状に形成した金属板本体の外面に銅被膜をコーティングした履物用銅コーティング板であって、
前記金属板本体を複数に分割してなる各金属板の対向端部を、該各金属板が互いに重ね合わされる方向に対して回動自在に連結したことを特徴とする
履物用銅コーティング板。
【請求項２】
前記金属板本体を、前記履物内部の爪先部から土踏まず部に至る部分と対応する大きさ及び形状に形成した前側金属板と、該履物内部の土踏まず部から踵部に至る部分と対応する大きさ及び形状に形成した後側金属板とに分割するとともに、
前記前側金属板と後側金属板との対向端部を、該前側金属板と後側金属板とが互いに重ね合わされる方向に対して回動自在に連結したことを特徴とする
請求項１に記載の履物用銅コーティング板。
【請求項３】
前記金属板本体を、前記履物内部の爪先部と対応する大きさ及び形状に形成した前側金属板と、該履物内部の土踏まず部と対応する大きさ及び形状に形成した中央金属板と、該履物内部の踵部と対応する大きさ及び形状に形成した後側金属板とに分割するとともに、
前記各金属板の対向端部を、該各金属板が互いに重ね合わされる方向に対して回動自在に連結したことを特徴とする
請求項１に記載の履物用銅コーティング板。
【請求項４】
前記金属板本体の一部外面又は外面全体に銅被膜をコーティングした
請求項１〜３のいずれか一つに記載の履物用銅コーティング板。
【請求項５】
前記金属板本体の一部又は全体に、通気が許容される開口部を複数形成した
請求項１〜４のいずれか一つに記載の履物用銅コーティング板。
【請求項６】
前記金属板本体の後端側に、前記履物内部の踵部から履き口に至るまでの距離より長尺に形成された牽引紐の一端を連結し、
前記牽引紐の他端に、前記履き口の周縁部に係止されるフックを取り付けた
請求項１〜５のいずれか一つに記載の履物用銅コーティング板。
【考案の詳細な説明】
【技術分野】
【０００１】
この考案は、例えばブーツ全般、長靴、ビジネスシューズ、ボーリングシューズ、ゴルフシューズ、サッカーシューズ、野球シューズ等の競技用シューズ、ウォーキングシューズ、ハイキングシューズ等の履物内部を清潔且つ衛生的な状態に保つ際に用いられる履物用銅コーティング板に関する。
【背景技術】
【０００２】
従来、前記履物内部に敷設される中敷としては、例えば踏抜き防止のために靴の内部に挿入する中敷であって、中敷を構成する硬質板を前踏部と、中踏部と、後踏部とに分割するとともに、該前踏部と、中踏部と、後踏部とを折り曲げ可能に連結した特許文献１の靴の中敷がある。
【特許文献１】特開２００２−３０８号公報
【考案の開示】
【考案が解決しようとする課題】
【０００３】
しかし、上記中敷は、歩行中に釘等の鋭利なものを靴底から踏み抜いてしまうのを防止するためのものである。踏抜きを防止するためには、硬質板の厚み、硬さが或る程度必要であるが、中敷全体の重量が重くなるので、歩行時において足に与える負担が大きい。また、材料費が高くなるだけでなく、取り扱いにくくなる。また、硬質板には通気用の孔や窓が設けられておらず、中敷を履物内部に挿入した際に、靴底側となる中敷の裏面側に汗や湿気等の水分が溜まりやすく、雑菌や異臭等が発生する原因となる。
【０００４】
この考案は前記問題に鑑み、履物内部を清潔且つ衛生的な状態に保つことができ、履物内部に挿入するか、履物内部から抜き取る作業が簡単且つ容易に行える履物用銅コーティング板の提供を目的とする。
【課題を解決するための手段】
【０００５】
この考案は、履物内部の底部と対応する足形状に形成され、該履物内部に対して挿入が許容される大きさ及び形状に形成した金属板本体の外面に銅被膜をコーティングした履物用銅コーティング板であって、前記金属板本体を複数に分割してなる各金属板の対向端部を、該各金属板が互いに重ね合わされる方向に対して回動自在に連結した履物用銅コーティング板であることを特徴とする。
【０００６】
つまり、履物用銅コーティング板を、例えばブーツ型を有する履物内部に挿入する際に、所望する角度に折り曲げて挿入するので、履物内部に挿入するか、履物内部から抜き取る作業が簡単且つ容易に行える。また、履物用銅コーティング板を履物内部に挿入しておけば、金属板本体にコーティングした銅被膜の抗菌作用、殺菌作用、消臭作用により、履物内部に発生した雑菌の増殖を抑え、水虫や悪臭等の原因となる菌を殺菌して、履物内部の不快な臭いを消臭するので、履物内部を清潔且つ衛生的な状態に保つことができる。なお、金属板本体の分割とは、該金属板本体を前後に分割するか、左右に分割したものを含むものである。
【０００７】
この考案の態様として、前記金属板本体を、前記履物内部の爪先部から土踏まず部に至る部分と対応する大きさ及び形状に形成した前側金属板と、該履物内部の土踏まず部から踵部に至る部分と対応する大きさ及び形状に形成した後側金属板とに分割するとともに、前記前側金属板と後側金属板との対向端部を、該前側金属板と後側金属板とが互いに重ね合わされる方向に対して回動自在に連結することができる。これにより、履物用銅コーティング板を履物内部に挿入するか該履物内部から抜取る際に、前側金属板と後側金属板とを履物内部に挿入に対して挿入が許容される角度に折り曲げるので、履物内部に挿入する作業及び履物内部から抜取る作業が簡単且つ容易に行える。
【０００８】
また、この考案の態様として、前記金属板本体を、前記履物内部の爪先部と対応する大きさ及び形状に形成した前側金属板と、該履物内部の土踏まず部と対応する大きさ及び形状に形成した中央金属板と、該履物内部の踵部と対応する大きさ及び形状に形成した後側金属板とに分割するとともに、前記各金属板の対向端部を、該各金属板が互いに重ね合わされる方向に対して回動自在に連結することができる。これにより、請求項１と略同等の作用及び効果を奏することができる。また、請求項２の履物銅コーティング板よりも、請求項３の履物銅コーティング板の方がコンパクトに折り畳むことができる。
【０００９】
また、この考案の態様として、前記金属板本体の一部外面又は外面全体に銅被膜をコーティングすることができる。これにより、履物用銅コーティング板が挿入された履物の一部又は全体、例えば底部、爪先部、甲部、踵部、土踏まず部等を銅被膜により抗菌、殺菌、消臭することができる。なお、金属板本体の一部外面とは、金属板の片面を含むものである。また、金属板本体の外面全体とは、金属板の表裏両面を含むものである。
【００１０】
また、この考案の態様として、前記金属板本体の一部又は全体に、通気が許容される開口部を複数形成することができる。これにより、履物用銅コーティング板に形成した各開口部を介して、履物内部の通気が効率よく行われるので、抗菌、殺菌、消臭に要する処理時間を短縮することができる。
【００１１】
また、この考案の態様として、前記金属板本体の後端側に、前記履物内部の踵部から履き口に至るまでの距離より長尺に形成された牽引紐の一端を連結し、前記牽引紐の他端に、前記履き口の周縁部に係止されるフックを取り付けることができる。これにより、例えばブーツ型を有する履物の履き口に係止されたフックを手で把持して上方へ引き上げれば、履物用銅コーティング板を履物内部から簡単に取り出すことができる。
【００１２】
前記履物は、例えばブーツ全般、長靴、ビジネスシューズ、ボーリングシューズ、ゴルフシューズ、サッカーシューズ、野球シューズ等の競技用シューズ、ウォーキングシューズ、ハイキングシューズ等で構成することができる。また、金属板は、例えば銅板よりも材料費が安価な鉄製の板材等で構成することができる。なお、銅板よりも安価であれば、鉄以外の金属で形成された板材を用いてもよい。例えばアルミニウム、ステンレス等の足形状を維持するのに必要な剛性、厚みを有する金属で形成してもよい。また、金属板に銅被膜をコーティングする方法は、例えば金属板外面に銅を鍍金する方法と、蒸着する処理と、塗布する方法と、銅箔を被覆する方法等で構成することができる。
【００１３】
前記開口部は、例えば長方形、三角形、楕円形、台形、菱形、丸形、星形等の単一形状に形成するか、これら複数の形状を組み合わせた複合形状に形成する等してもよい。また、各開口部を、略同一の大きさ及び形状に形成するか、異なる大きさ及び形状に形成する等してもよい。
【考案の効果】
【００１４】
この考案によれば、履物用銅コーティング板を履物内部に対して挿入が許容される角度に折り曲げることができるので、履物内部に挿入するか、履物内部から抜き取る作業が簡単且つ容易に行える。また、金属板本体にコーティングした銅被膜の抗菌作用、殺菌作用、消臭作用により、履物内部に発生した雑菌の増殖を抑え、水虫や悪臭等の原因となる菌を殺菌して、履物内部の不快な臭いを消臭することができる。また、履物用銅コーティング板に形成した各開口部を介して、履物内部の通気が効率よく行われるので、抗菌、殺菌、消臭に要する処理時間を短縮することができる。また、金属板本体の外面に銅被膜をコーティングしているので、銅板のみで構成するよりもコストが安く、安価に製造及び販売することができる。また、履物用銅コーティング板全体の重量が軽く、軽量化が図れるので、取り扱い性が向上する。
【考案を実施するための最良の形態】
【００１５】
この考案は、履物内部を清潔且つ衛生的な状態に保つことができ、履物内部に挿入するか、履物内部から抜き取る作業が簡単且つ容易に行えるという目的を、履物用銅コーティング板を履物内部に対して挿入が許容される角度に折り曲げることで達成した。
【実施例】
【００１６】
この考案の一実施例を以下図面に基づいて詳述する。
【００１７】
図面は、履物の一例としてブーツ型を有する履物内部に挿入される履物用銅コーティング板を示している。図１及び図７に於いて、この履物用銅コーティング板１は、履物Ａ内部の底部Ａａと対応する足形状（足の裏形状）に形成され、履物Ａ内部に対して挿入が許容される大きさ及び形状に形成した金属板本体２を、履物Ａ内部の爪先部Ａｂから土踏まず部Ａｃに至る部分と対応する大きさ及び形状に形成した前側金属板２Ａと、土踏まず部Ａｃから踵部Ａｄに至る部分と対応する大きさ及び形状に形成した後側金属板２Ｂとに２分割するとともに、前側金属板２Ａと後側金属板２Ｂとの対向端部を、該前側金属板２Ａと後側金属板２Ｂとが互いに重ね合わされる方向に対して前後回動自在に連結したものである。
【００１８】
前側金属板２Ａの爪先部Ｘから土踏まず部Ｙに至る部分と、後側金属板２Ｂの土踏まず部Ｙから踵部Ｚに至る部分には、通気が許容される開口面積が大きい開口部２ｄを所定間隔に隔てて複数形成している。また、前側金属板２Ａと後側金属板２Ｂとの表裏両面を含む外面全体には、抗菌作用、殺菌作用、消臭作用等の効果を有する薄膜状の銅被膜３を略均一にコーティングしている。
【００１９】
金属板本体２は、足形状を維持するのに必要な剛性及び厚みの少なくとも一方を有する鉄製の板材で構成されており、１枚以上の金属板を切り取ることが可能な大きさ及び形状に形成された鉄製の板材を、例えば打ち抜き機の金型で打ち抜くか、レーザー切断機で切断する等して、図５の左側平面図に示すような足形状に形成される。
【００２０】
前側金属板２Ａ及び後側金属板２Ｂの表裏両面を含む外面全体に銅を鍍金するか、蒸着する等して、図５の右側平面図及び図６の断面図に示すように、薄膜状の銅被膜３を前側金属板２Ａ及び後側金属板２Ｂの外面全体に対して略均一にコーティングしている。なお、銅被膜３は、抗菌作用、殺菌作用、消臭作用を発揮するのに十分な厚みに形成している。
【００２１】
実施例では、金属板本体２の厚みを、１ｍｍ〜１．５ｍｍの範囲に含まれる厚みに形成しているが、例えば１ｍｍ以下又は１．５ｍｍ以上の厚みに変更してもよい。
【００２２】
金属板本体２は、履物Ａ内部の爪先部Ａｂから土踏まず部Ａｃに至る部分と対応する大きさ及び形状に形成した足形枠２Ａａと、土踏まず部Ａｃから踵部Ａｄに至る部分と対応する大きさ及び形状に形成した足形枠２Ｂａと、足形枠２Ａａ，２Ｂａの右側縁部と左側縁部の間に形成された複数の各横枠２ｂ…と、各横枠２ｂ…と直交して足形枠２Ａａの爪先部Ｘ中央部（図５の左側平面図に示す金属板の上端中央部）と、足形枠２Ｂａの踵部Ｚ中央部（図５の右側平面図に示す金属板の下端中央部）の間に形成された複数の各縦枠２ｃ…で構成される。
【００２３】
各横枠２ｂ…は、爪先部Ｘ、土踏まず部Ｙ、踵部Ｚの各縦枠２ｃ…と直交して足形枠２Ａａ，２Ｂａの右側縁部と左側縁部の間に形成され、爪先部Ｘ中央部と踵部Ｚ中央部を結ぶ長さ方向に対して所定等間隔に隔てて複数形成している。
【００２４】
各縦枠２ｃ…は、爪先部Ｘ、土踏まず部Ｙ、踵部Ｚの各横枠２ｂ…と直交して足形枠２Ａａ，２Ｂａの爪先部Ｘ中央部と踵部Ｚ中央部の間に形成され、爪先部Ｘ中央部と踵部Ｚ中央部を結ぶ長さ方向と平行して複数形成している。
【００２５】
なお、足形枠２ａと、横枠２ｂと、縦枠２ｃは略同一幅に形成している。また、爪先部Ｘ及び踵部Ｚに形成した各縦枠２ｃ…は、土踏まず部Ｙに形成した各縦枠２ｃ…に対して足の親指と対応する側へ片寄った位置に形成しているが、各部の各縦枠２ｃ…を長さ方向に対して略真っ直ぐに連続して形成してもよい。
【００２６】
前側金属板２Ａの爪先部Ｘの左右平面に形成した各開口部２ｄ，２ｄは、土踏まず部Ｙから爪先部Ｘに向けて徐々に幅狭となる曲面形状に形成している。
【００２７】
前側金属板２Ａの土踏まず部Ｙの上端側左右平面に形成した各開口部２ｄ…は、土踏まず部Ｙの上端部から中央部に向けて徐々に幅広となり、その幅広部分から徐々に幅狭となる曲面形状に形成している。
【００２８】
上端側左右平面の各開口部２ｄ，２ｄに続いて中央左右平面に形成した各開口部２ｄ，２ｄは、土踏まず部Ｙの上端部側から下端部側に向けて徐々に幅狭となる曲面形状に形成している。
【００２９】
中央左右平面の各開口部２ｄ，２ｄに続いて下端側左右平面に形成した各開口部２ｄ，２ｄは、土踏まず部Ｙの中央部から下端部に向けて徐々に幅広となる曲面形状に形成している。
【００３０】
後側金属板２Ｂの踵部Ｚの左右平面に形成した各開口部２ｄ，２ｄは、土踏まず部Ｙから踵部Ｚの上端側から下端側に向けて徐々に幅狭となる曲面形状に形成している。
【００３１】
前側金属板２Ａと後側金属板２Ｂとの対向端部には、図２、図３にも示すように、該前側金属板２Ａと後側金属板２Ｂとを二つ折り状態に連結するための一対の連結部４，４を所定間隔に隔てて設けている。連結部４，４は、前側金属板２Ａの連結側端部に連設された支持片４ａ，４ａを、後側金属板２Ｂの連結側端部に形成された幅狭の軸部４ｂ，４ｂが囲繞されるように変形するとともに、筒状に変形した支持片４ａ，４ａで軸部４ｂ，４ｂを前後回動自在に軸受している（図４参照）。
【００３２】
つまり、前側金属板２Ａの支持片４ａで軸受された後側金属板２Ｂの軸部４ｂを中心として、前側金属板２Ａと後側金属板２Ｂとを表面側が互いに重ね合わされる前側二つ折り姿勢と、前側金属板２Ａと後側金属板２Ｂとを裏面側が互いに重ね合わされる後側二つ折り姿勢とに前後回動自在に設けている（図２の仮想線参照）。なお、支持片４ａと軸部４ｂとに代わる連結手段を中心として、例えば蝶番、柔軟性を有する合成樹脂等で連結してもよい。
【００３３】
後側金属板２Ｂの踵側後端部には、柔軟性を有する組紐で構成され、履物Ａ内部の踵部Ａｄから履き口Ａｅに至るまでの距離よりも長尺寸法に形成された牽引紐５を連結している。
【００３４】
牽引紐５の一端には、後側金属板２Ｂの踵側後端部に形成された孔部２ｅに挿通され、後側金属板２Ｂの踵側後端部に牽引紐５を連結するための連結金具６を取り付けている。また、牽引紐５の他端には、履物Ａに形成された履き口Ａｅの周縁部に引っ掛けられるフック７を取り付けている。
【００３５】
つまり、履物用銅コーティング板１を、図７に示すブーツ型を有する履物Ａ内部に挿入した際に、履物用銅コーティング板１に連結された牽引紐５のフック７を履物Ａの履き口Ａｅに引っ掛けておく。これにより、履物Ａを使用する際に、履物Ａの履き口Ａｅに係止されたフック７を手で把持して上方へ引き上げれば、履物用銅コーティング板１を履物Ａ内部から簡単に抜き取ることができる。
【００３６】
なお、牽引紐５の代わりに、例えば撚り紐、チェーン、ワイヤー、ベルト、テープ、コード等の柔軟性を有する紐状物を用いてもよい。
【００３７】
図示実施例は前記の如く構成するものにして、以下、履物用銅コーティング板１の作用方法を説明する。
【００３８】
使用後又は不使用のブーツ型を有する履物Ａを保管する際には、図７に示すように、履物用銅コーティング板１の前側金属板２Ａと後側金属板２Ｂとを履物Ａ内部に対して挿入が許容される角度に折り曲げながら、履物用銅コーティング板１を履物Ａ内部に履き口Ａｅから挿入する。この時、履物用銅コーティング板１の後側金属板２Ｂに連結された牽引紐５のフック７を履物Ａの履き口Ａｅに引っ掛けておく。
【００３９】
履物用銅コーティング板１を履物Ａ内部の底部Ａａ上に敷設しておけば、金属板本体２にコーティングした銅被膜３の抗菌作用、殺菌作用、消臭作用により、履物Ａ内部に発生した雑菌の増殖を抑え、水虫や悪臭等の原因となる菌を殺菌して、履物Ａ内部の不快な臭いを消臭するので、履物Ａ内部を清潔且つ衛生的な状態に保つことができる。
【００４０】
履物Ａを使用する際には、履物Ａの履き口Ａｅに係止されたフック７を手で把持して上方へ引き上げれば、履物用銅コーティング板１を履物Ａ内部から簡単に抜き取ることができ、履物Ａを履いて歩行又は走行することができる、或いは、履物用銅コーティング板１を挿入したまま、履物Ａを履いて歩行又は走行してもよく、上記と略同等の作用及び効果が得られる。
【００４１】
つまり、履物用銅コーティング板１を履物Ａ内部に対して挿入が許容される角度に折り曲げて挿入するので、履物Ａ内部に挿入するか、履物Ａ内部から抜き取る作業が簡単且つ容易に行える。
【００４２】
また、金属板本体２の外面全体に銅を鍍金又は蒸着して、金属板本体２の外面全体に対して銅被膜３を略均一にコーティングするので、銅板のみで構成するよりもコストが安く、安価に製造及び販売することができる。
【００４３】
また、前側金属板２Ａ及び後側金属板２Ｂに形成された各開口部２ｄ…の開口面積が大きく、履物Ａ内部の通気が効率よく行われるので、抗菌、殺菌、消臭に要する処理時間を短縮することができる。また、汗や湿気等の水分も効率よく通気されるので、雑菌や異臭等が発生するのを防止することができる。また、靴内部の皮や布地、靴下の繊維等が詰まったりせず、通気性が安定して得られる。
【００４４】
また、全開口部２ｄ…の開口面積が、該全開口部２ｄ…を除いた金属板本体２の残り部分の面積よりも大きくても、金属板本体２の残り部分に付着した銅により十分な効果が期待できるので、金属板本体２及び銅の使用量が少なくて済み、製造時のコストが低減されるため、安価に製造及び販売することができる。また、履物用銅コーティング板１全体の重量が軽く、軽量化が図れるので、取り扱い性が向上する。
【００４５】
また、１種類の履物用銅コーティング板１を表裏反転すれば、左右どちらの履物Ａにも使用することができるので、右用及び左用の履物用銅コーティング板１を２種類製作する必要がない。
【００４６】
図８は、金属板本体２の表面のみに銅被膜３をコーティングした足形状の履物用銅コーティング板１を示している。履物用銅コーティング板１を履物Ａ内部に挿入して底部Ａａ上に敷設すれば、金属板本体２にコーティングした銅被膜３により履物Ａの底部Ａａを含む内部全体が抗菌、殺菌、消臭されるので、上記実施例と略同等の作用及び効果を奏することができる。また、金属板本体２の裏面のみに銅被膜３をコーティングしてもよい。
【００４７】
図９は、前側金属板２Ａの爪先部Ｘと後側金属板２Ｂの踵部Ｚとに銅被膜３をコーティングした履物用銅コーティング板１の他の例を示している。履物用銅コーティング板１を履物Ａ内部の底部Ａａ上に敷設しておけば、金属板本体２の爪先部Ｘ及び踵部Ｚにコーティングした銅被膜３により履物Ａの爪先部Ａｂ及び踵部Ａｄが集中して抗菌、殺菌、消臭されるので、上記実施例と略同等の作用及び効果を奏することができる。また、金属板本体２の爪先部Ｘ又は踵部Ｚのいずれか一方に銅被膜３をコーティングするか、金属板本体２の土踏まず部Ｙに銅被膜３をコーティングしてもよい。
【００４８】
図１０は、金属板本体２を、爪先部Ｘと対応する前側金属板２Ａと、土踏まず部Ｙと対応する中央金属板２Ｃと、踵部Ｚと対応する後側金属板２Ｂとに３分割するとともに、各金属板２Ａ，２Ｂ，２Ｃを前記実施例と同一の連結部４…により三つ折り自在に連結した履物用銅コーティング板１のその他の例を示している。つまり、各金属板２Ａ，２Ｂ，２Ｃを履物Ａ内部に対して挿入が許容される角度に折り曲げて、履物用銅コーティング板１を履物Ａ内部に履き口Ａｅから挿入するので、前記実施例と略同等の作用及び効果を奏することができる。また、図１に示す二つ折り自在に連結された履物銅コーティング板１よりも、三つ折り自在に連結された履物銅コーティング板１の方がコンパクトに折り畳むことができるので、収納スペースが小さくて済み、保管及び携帯するのに便利である。図中の足形枠２Ｃａは、土踏まず部Ｙと対応する大きさ及び形状に形成した金属板枠である。
【００４９】
なお、本考案は、前記実施例の構成のみに限定されるものではなく、請求項に示される技術思想に基づいて応用することができ、多くの実施の形態を得ることができる。
【００５０】
例えば履物用銅コーティング板１を構成する金属板本体２の外面全体に銅を塗布するか、銅箔を被覆する等して、銅被膜３を金属板本体２の外面全体に対して略均一にコーティングしてもよい。また、開口部２ｄを、金属板本体２を構成する爪先部Ｘ、土踏まず部Ｙ、踵部Ｚ等の少なくとも一つの部分又は複数の部分に形成してもよい。
【００５１】
また、履物用銅コーティング板１の金属板本体２を、爪先部Ｘの前端側中央部から踵部Ｚの後端側中央部を結ぶ線を中心として左右２分割するとともに、右側金属板と左側金属板との対向端部を、該各金属板が互いに重ね合わされる方向に対して二つ折り自在に連結してもよい。
【産業上の利用可能性】
【００５２】
本考案の履物用銅コーティング板は、ブーツ型を有する履物以外に、例えばビジネスシューズ、ボーリングシューズ、ゴルフシューズ、サッカーシューズ、野球シューズ等の競技用シューズ、ウォーキングシューズ、ハイキングシューズ等の履物にも使用することができる。
【図面の簡単な説明】
【００５３】
【図１】二つ折り自在に連結した履物用銅コーティング板を示す平面図。
【図２】履物用銅コーティング板の前後二つ折り姿勢を示す側面図。
【図３】履物用銅コーティング板の前側二つ折り姿勢を示す平面図。
【図４】前側金属板と後側金属板との連結構造を示す斜視図。
【図５】金属板に対する銅のコーティング状態を示す平面図。
【図６】金属板の表裏両面に銅をコーティングした構造を示す断面図。
【図７】ブーツ型の履物内部に敷設した使用状態を示す斜視図。
【図８】金属板の表面のみに銅をコーティングした構造を示す断面図。
【図９】爪先部及び踵部に銅をコーティングした他の例を示す平面図。
【図１０】三つ折り自在に連結した履物用銅コーティング板を示す平面図。
【符号の説明】
【００５４】
Ａ…履物
Ａａ…底部
Ａｂ…爪先部
Ａｃ…土踏まず部
Ａｄ…踵部
Ｘ…爪先部
Ｙ…土踏まず部
Ｚ…踵部
１…履物用銅コーティング板
２…金属板本体
２Ａ…前側金属板
２Ｂ…後側金属板
２Ｃ…中央金属板
２ｄ…開口部
３…銅被膜
４…連結部
５…牽引紐
６…連結金具
７…フック
【図１】
0003141946.tif 000003
【図２】
0003141946.tif 000004
【図３】
0003141946.tif 000005
【図４】
0003141946.tif 000006
【図５】
0003141946.tif 000007
【図６】
0003141946.tif 000008
【図７】
0003141946.tif 000009
【図８】
0003141946.tif 000010
【図９】
0003141946.tif 000011
【図１０】
0003141946.tif 000012